(57)【特許請求の範囲】
【請求項１】
腕時計バンド用のアタッチメントリンク（１０）であって、
腕時計ケース（３）から前記腕時計バンドの長手方向に伸びている二つの突出部であるホーン（５）の間にて腕時計バンドを前記腕時計ケース（３）に取り付けるように構成しており、
当該アタッチメントリンク（１０）の第１の端（１０１）は、腕時計バンドストランドに固定され、
当該アタッチメントリンク（１０）の第２の端（１００）は、前記ケース（３）に対向するように構成しており、
当該アタッチメントリンク（１０）は、前記ホーン（５）の間にて前記ケース（３）に対向するように配置され、棒体（１２）によって保持され、
当該アタッチメントリンク（１０）は、前記ホーン（５）の間にて前記ケース（３）に対向するように当該アタッチメントリンクを堅固に保持するために、当該アタッチメントリンク（１０）と前記ケース（３）の間のいずれの遊びをも防ぐ制限手段を有し、
前記制限手段は、前記ホーン（５）側の端の面のレベルから突出しており前記ホーン（５）と接触する少なくともホーン側制限要素（１４）を有する
ことを特徴とするアタッチメントリンク（１０）。
【請求項２】
前記制限手段は、前記第２の端（１００）の面のレベルから突出しており前記ケース（３）と接触する少なくともケース側制限要素（１３）を有する
ことを特徴とする請求項１に記載のアタッチメントリンク（１０）。
【請求項３】
前記ケース側及び／又はホーン側制限要素（１３、１４）は、エラストマー材料のような弾性変形可能な材料によって作られている
ことを特徴とする請求項１または２に記載のアタッチメントリンク（１０）。
【請求項４】
前記ケース側及び／又はホーン側制限要素（１３、１４）は、金属、セラミックス、複合材又はプラスチック材料のような硬質材で作られている
ことを特徴とする請求項１〜３のいずれかに記載のアタッチメントリンク（１０）。
【請求項５】
前記ケース側及び／又はホーン側制限要素（１３、１４）は、当該アタッチメントリンク（１０）と一体化されている
ことを特徴とする請求項１〜４のいずれかに記載のアタッチメントリンク（１０）。
【請求項６】
前記ケース側及び／又はホーン側制限要素（１３、１４）は、成型によって当該アタッチメントリンク（１０）上に形成されている
ことを特徴とする請求項１〜５のいずれかに記載のアタッチメントリンク（１０）。
【請求項７】
前記ケース側及び／又はホーン側制限要素（１３、１４）は、ロゴの形に作られている
ことを特徴とする請求項１〜５のいずれかに記載のアタッチメントリンク（１０）。
【請求項８】
当該アタッチメントリンク（１０）は、金属、セラミックス、複合材又はプラスチック材料のような硬質材で作られている
ことを特徴とする請求項１〜７のいずれかに記載のアタッチメントリンク（１０）。
【請求項９】
取り付けのための取り付け空間を定める２対の突出部であるホーンを有する胴部によって形成されるケースを有する腕時計であって、
請求項１〜８のいずれかに記載のアタッチメントリンク（１０）を少なくとも１つ有し、
前記アタッチメントリンクは、前記取付け空間に収容される
ことを特徴とする腕時計。
【請求項１０】
前記腕時計バンドストランドは、皮革、ゴム、織物、合成材料、セラミックス、複合材又は金属によって作られている
ことを特徴とする請求項９に記載の腕時計。
【発明の詳細な説明】
【技術分野】
【０００１】
本発明は、金属のような硬質材によって作られた外側要素を有する、腕時計ケースに腕時計バンドを取り付けるデバイスに関する。より詳細には、本発明は、腕時計のケースに腕時計バンドを取り付けるために設けられるアタッチメントリンク（取り付けリンク）に関する。
【背景技術】
【０００２】
従来技術において、バンドによってユーザーの手首に保持される腕時計が知られている。このバンドは、皮革、織物、ゴム、セラミックス又は金属で作ることができ、例えば、ホーンの間に固定される棒体によって、腕時計のホーンに取り付けられる。
【０００３】
着用者によって用いられるバンドに依存して、ホーンの間の空間において腕時計のケースを見ることができる。実際に、ユーザーの金属製腕時計バンドは、一般的に、ホーンの間の空間に挿入され、このような腕時計バンドをゴム、皮革又は織物製の腕時計バンドに交換しようとするとき、ケースが見えるようになる。
【０００４】
短所としては、ケースとバンドの間の接続を形成する金属又はセラミックスのリンクが、このようなリンクを保持する棒体のまわりをホーンの間の空間にて回転して、このことによって、異なるタイプのバンドにバンドを変更する場合、ケースの美しさ、そして、腕時計の美しさを損なうことになるということがある。したがって、現状の固定手法は、見ることができるようになると、審美的な観点からは満足できるものではなく、このことによって、貧相な接合又は貧相な製品であるという印象を与えてしまう。
【発明の概要】
【発明が解決しようとする課題】
【０００５】
本発明の目的は、特に、既知の技術についてのこれらの複数の短所を改善することである。
【０００６】
より詳細には、本発明の目的は、ケースとバンドの間のアタッチメントリンクの運動を阻止したり、このような運動に少なくとも対処したりして、特に、ケースが磨耗又は劣化してしまうことを保護することである。
【課題を解決するための手段】
【０００７】
これらの目的及び下の記載によって明らかになる他の目的は、ホーンの間にて腕時計ケースにバンドを取り付けるように構成している、本発明に係る腕時計バンド用のアタッチメントリンクによって達成される。このアタッチメントリンクの第１の端は、腕時計バンドストランドに固定され、アタッチメントリンクの第２の端は、例えば、棒体によって、ケースに固定され、アタッチメントリンクは、ホーンの間にて、ケースに対向するように、又は少なくとも可能なかぎりケースの近くにあるように配置される。
【０００８】
本発明によると、アタッチメントリンクは、そのアタッチメントリンクをホーンの間にケースに対向するように保持するために、回転を阻止する阻止手段を有する。
【０００９】
本発明の他の好ましい変形例に従うと、以下の特徴を有する。
＊  前記阻止手段は、ケース側の端面から突出しておりケースと接触する少なくとも１つの阻止要素を有する。
＊  前記阻止手段は、ホーン側の端面から突出しておりホーンと接触する少なくとも１つの阻止要素を有する。
＊  前記少なくとも１つの阻止要素は、ゴムのような弾性変形可能な材料によって作られている。
＊  前記少なくとも１つの阻止要素は、金属、セラミックス、複合材又はプラスチック材料のような硬質材によって形成されている。
＊  前記少なくとも１つの阻止要素は、前記アタッチメントリンクと一体化されている。
＊  前記少なくとも１つの阻止要素は、成型によって前記アタッチメントリンク上に形成されている。
＊  前記アタッチメントリンクは、金属、セラミックス、複合材又はプラスチック材料によって作られている。
＊  前記腕時計バンドストランドは、皮革、ゴム、合成材料、織物、セラミックス又は金属によって作られている。
【００１０】
本発明は、さらに、特に、本発明に係る少なくとも１つのアタッチメントリンクを有する任意の計時器に関する。
【００１１】
図面を参照しながら単純な例（これに限定されない）として与えられる本発明の特定の実施形態についての以下の説明を読むことによって、本発明の他の特徴及び利点が明らかになるであろう。
【図面の簡単な説明】
【００１２】
【図１】本発明に係るアタッチメントリンクが取り付けられた腕時計の斜視図である。
【図２】図１の線Ａ−Ａに沿って得られた断面図である。
【図３】本発明に係るアタッチメントリンクの斜視図である。
【図４】本発明に係るアタッチメントリンクの可能性のある複数の変形例を示している。
【図５】別の実施形態に係るアタッチメントリンクの運動を阻止する阻止手段を有する中間部の斜視図である。
【発明を実施するための形態】
【００１３】
本発明は、ホーンの間にて腕時計ケースにバンドを取り付けるように構成している、腕時計バンド用のアタッチメントリンクに関する。このアタッチメントリンクの第１の端は、腕時計バンドストランドに固定される。また、アタッチメントリンクの第２の端は、例えば、棒体によってケースに固定され、アタッチメントリンクは、２つのホーンの間にあり、ケースに対向している。
【００１４】
本発明によると、アタッチメントリンクは、ホーンの間でアタッチメントリンクを堅固に保持するために、回転を阻止する阻止手段を有する。
【００１５】
図１及び２は、リンクされたバンド２の腕時計ケース３に取り付けられた部分を有する腕時計１を示している。腕時計ケース３には、中間部４があり、この中間部４から腕時計バンドの長手方向にホーン５が伸びており、このホーン５には穴５０が開いている。腕時計ケース３の境界は、古典的には、底部においては基礎６によって頂上部においてはベゼル７及び腕時計ガラス８によって、定められている。
【００１６】
本発明に係るアタッチメントリンク１０は、一体化された本体の形で提供される。この本体は、第１の端１０１と呼ばれる表面と、第２の端１００と呼ばれる裏面と、２つの側面１０２と、上面と、及び下面とを有する。
【００１７】
アタッチメントリンク１０には、ボア１１のような第１の中空要素がある。この第１の中空要素は、棒体１２を受けるように構成しており、これによって、アタッチメントリンク１０が２つのホーン５の間で固定されることが可能になる。このアタッチメントリンク１０は、腕時計ケース３の中間部４に腕時計バンドストランドを取り付けるように構成している。図示した実施形態によると、棒体１２は、腕時計バンドストランドをアタッチメントリンク１０に、そして、アタッチメントリンク１０をホーン５に固定する。変形例によれば、第１の棒体は、アタッチメントリンク１０をホーン５に固定することができ、第２の棒体は、腕時計バンドストランドをアタッチメントリンク１０に取り付けることができる。
【００１８】
本発明によると、アタッチメントリンク１０は、棒体１２によって形成される軸のまわりの回転を阻止する阻止手段を有する。これによって、アタッチメントリンクをホーン５の間にて中間部４に対向するように堅固に保持する。
【００１９】
第１の実施形態によると、回転阻止手段は、アタッチメントリンク１０の裏面１００のレベルから突出している少なくとも第１の阻止要素１３を有し、前記少なくとも１つの阻止要素１３は、アタッチメントリンク１０がホーン５の間に配置されているときに、中間部４に接しており、組み付けの後にアタッチメントリンク１０とケース３の間のいずれの遊びをも防ぐ。
【００２０】
第２の実施形態によると、回転阻止手段は、アタッチメントリンク１０の側面１０２のレベルから突出している少なくとも第２の阻止要素１４を有し、この第２の阻止要素１４は、アタッチメントリンク１０がホーン５の間に配置されているときに、ホーン５に接しており、組み付けの後にアタッチメントリンク１０とケース３の間のいずれの遊びをも防ぐ。
【００２１】
図３及び４に示すように、第１及び第２の阻止要素１３及び１４は、ゴムのようなエラストマー材料のような弾性変形可能な材料によって作られたインサートの形態で構成している。このインサートは、アタッチメントリンクとともに直接形成することができ、また、成型によってアタッチメントリンク上に形成することができる。また、アタッチメントリンクにおいて凹んだ機構を設けて、インサートを受けるようにすることができ、このインサートは、この一又は複数の凹んだ機構の中に押し入れられる。
【００２２】
アタッチメントリンクは、アタッチメントリンク１０の長さ又は深さに沿って配置されている一又は複数の概して長方形のインサートを有することができる。この一又は複数のインサートの長さは、アタッチメントリンクの長さ及び／又は深さよりもわずかに小さい。アタッチメントリンクの長さは、裏面１００の長さを意味するように理解され、アタッチメントリンクの深さは、側面１０２の長さを意味するように理解される。
【００２３】
別の実施形態によると、第１及び第２の阻止要素１３及び１４は、金属、セラミックス又はプラスチック材料のような硬質材によって作ることができる。好ましいことに、前記阻止要素は、アタッチメントリンク１０と一体化しているように、また、アタッチメントリンク１０と同じ材料で、作ることができる。例えば、金属やセラミックスである。
【００２４】
また、前記阻止要素を、文字又はロゴの形態、例えば、「Ｔ」、「Ω」、で構成することを想到することができる。
【００２５】
腕時計バンドストランドをアタッチメントリンク１０に固定することを可能にするために、アタッチメントリンク１０に、腕時計バンドストランド又はアタッチメントリンクを受けるために適している、棒体１２が通る通路を設けることができる。
【００２６】
腕時計ケース３にアタッチメントリンク１０を組み付けるために、腕時計バンドストランドは、まず、アタッチメントリンク１０の通路内に挿入され、そして、棒体１２が、アタッチメントリンクに設けられたボア１１内を滑って通り抜ける。そして、アタッチメントリンク１０が、ホーン５の間に挿入されて、棒体１２の第１の端が、ホーン５の穴５０内に収容される。この後には、アタッチメントリンク１０が、腕時計ケース３のホーン５の間で滑る。このことによって、棒体１２の第２の端が、反対側のホーン５の穴５０内にて係合することが確実になる。この組み付けステップが完了すると、阻止要素１３及び／又は１４が、ケース３とアタッチメントリンク１０の間で押され、このことによって、これらのケース３とアタッチメントリンク１０の２つの要素の間のいずれの遊びもなくし、アタッチメントリンク１０の運動を制限したり確実に阻止したりすることが可能になる。
【００２７】
腕時計バンドは、腕時計バンドストランドによって作ることができる。この腕時計バンドストランドは、例えば、ゴム、シリコーン、皮革のような可撓性材料によって作ることができるが、金属、セラミックス又は複合材によって作ることもできる。このようなアタッチメントリンク１０によって、ケース３内における保持を変える必要性なしで、腕時計バンドストランドの良好な配置とともに、ホーン５の間の良好な保持が可能になる。また、腕時計バンドアタッチメントとケースの間において、機械加工や組み付けの許容誤差に応じて、部品どうしの厄介で可変な遊びなしで、非常に純粋な審美性を持たせることが可能になる。
【００２８】
当業者であれば、明らかに、アタッチメントリンク１０を阻止するために、前記阻止手段を、ホーン５の間にてケースバンドに接触するように、中間部のレベルに配置することを想到することができる。この場合、中間部が、アタッチメントリンクと同じ阻止手段を受けることができる。図５に示すように、腕時計は、「Ω」の形にて構成する阻止要素１５を有し、前記阻止要素は、中間部と同時に機械加工することができ、また、インサートの場合には中間部に付加することができる。
【００２９】
このような構成の結果、腕時計バンドのタイプを変えるとき、例えば、金属バンドを伝統的な皮革バンドに変えるときに、ケースバンドを見ることができ、また、阻止手段を見ることができる。このことは、阻止手段がロゴのような装飾要素の形態である場合には、特に有利である。
【００３０】
本発明がここで説明した実施形態に制限されず、当業者であれば、本特許出願に添付した請求の範囲によって定められる本発明のフレームワークから逸脱せずに、様々な単純な改変や変種を想到することができる。具体的には、金属材料によって作られた腕時計バンドのリンク及び腕時計ケースに関連させて説明したが、セラミックス、複合材又はプラスチック材料のような他の硬質材によって作られるリンクとケースにも、本発明を同じ手法で適用することができる。
【符号の説明】
【００３１】
２  バンド
３  ケース
４  中間部
５  ホーン
６  基礎
７  ベゼル
８  ガラス
１０  アタッチメントリンク
１１  ボア
１２  棒体
１３、１４、１５  阻止要素
５０  穴
１００  第２の端
１０１  第１の端
１０２  側面
【図１】
0006559729.tif 000002
【図２】
0006559729.tif 000003
【図３】
0006559729.tif 000004
【図４】
0006559729.tif 000005
【図５】
0006559729.tif 000006